(57)【特許請求の範囲】
【請求項１】
天板の厚さ方向に延びる空隙部を有した多数の段ボール紙及び芯用ベニヤ合板を交互に積層接着してなる芯材と、台が固定される芯材箇所に設けられる補強材と、芯材の四周に設けられる枠材と、芯材の表裏面に積層接着され、所望の厚さで、芯材及び芯材の四周に設けられる枠材と一致する大きさの原板からなる卓球台用天板。
【請求項２】
天板の厚さ方向に延びる空隙部を有した段ボール紙の両面に芯用ベニヤ合板を接着した多数の芯単位体相互を積層接着してなる芯材と、台が固定される芯材箇所の芯単位体間に設けられる補強材と、芯材の四周に固着される枠材と、芯材の表裏面に積層接着され、所望の厚さで、芯材及び芯材の四周に設けられる枠材と一致する大きさの原板からなる卓球台用天板。
【発明の詳細な説明】
【０００１】
【発明が属する技術分野】
本発明は、軽量で厚さ方向に対して高い圧縮強度を有し、かつ幅方向に対して高い曲げ強度を有した卓球台用天板に関する。
【０００２】
【発明が解決しようとする課題】
卓球台に使用する天板体は、持ち運び時の利便性から軽量化が強く要求されていると共に使用時における歪みや曲げを防止した状態で所望の反発係数を得るため、幅方向に対して高い曲げ強度を有していると共に厚さ方向に対して高い圧縮強度を有していることが要求される。
【０００３】
これらの要求を満たすため、従来の天板体は、芯材として圧縮強度が高いハニカムコアを使用し、該ハニカムコアの両面に所定の厚さの原板を積層接着する構成を採用していた。
【０００４】
しかし、ハニカムコア自体、厚さ方向に対して高い圧縮強度を有しているが、幅方向（長手方向及び長手直交方向）に対しての曲げ強度が弱い欠点を有している。幅方向に対して高い曲げ強度を得るには、高い曲げ強度を有した金属等のハニカムコアを使用することにより解決できるが、この場合にあってはパネル自体が重量化すると共に材料費が高コスト化する問題を有している。
【０００５】
本発明は、上記した従来の欠点を解決するために発明されたもので、その課題とする処は、軽量化を図りながら高強度化することができる卓球台用天板を提供することにある。
本発明の他の課題は、上記した課題を達成しながら製作費を低コスト化することができる卓球台用天板を提供することにある。
【０００６】
【課題を解決するための手段】
本発明の請求項１は、天板の厚さ方向に延びる空隙部を有した多数の段ボール紙及び芯用ベニヤ合板を交互に積層接着してなる芯材と、台が固定される芯材箇所に設けられる補強材と、芯材の四周に設けられる枠材と、芯材の表裏面に積層接着され、所望の厚さで、芯材及び芯材の四周に設けられる枠材と一致する大きさの原板からなることを特徴とする。
【０００７】
また、請求項２は、天板の厚さ方向に延びる空隙部を有した段ボール紙の両面に芯用ベニヤ合板を接着した多数の芯単位体相互を積層接着してなる芯材と、台が固定される芯材箇所の芯単位体間に設けられる補強材と、芯材の四周に固着される枠材と、芯材の表裏面に積層接着され、所望の厚さで、芯材及び芯材の四周に設けられる枠材と一致する大きさの原板からなることを特徴とする。
【０００８】
【発明の実施形態】
以下に実施形態を示す図に従って本発明を説明する。
図１〜図３において、卓球台天板１は本発明に係る天板体２をヒンジ（図示せず）にて連結して折畳み可能に構成したもので、それぞれの天板体２は芯材３の両面に、所定厚さからなる原板としてのベニヤ合板５・７を積層接着した構造からなる。尚、図中の符号８は芯材３の四周に取付けられる枠材、符号９は枠材８の側端面に接着される化粧板である。また、卓球台天板１は天板体２相互を突き合わせて一枚状にしてもよい。
【０００９】
芯材３は、ベニヤ合板５・７を除いた天板体２に要求される高さで、幅方向が天板体２と一致する長さからなる多数の段ボール紙１１の両面に所定厚さの芯用ベニヤ合板１３を積層接着した多数の単位体１４相互を、台が固定される箇所に単位体１４の長手方向に延びるように補強材７１を設けて積層接着した構造からなる。
【００１０】
即ち、天板体２の厚さ及び幅方向長さに応じたスリップ状で、内部のコルゲート紙の空隙部１１ａが天板体２の厚さ方向を向くように配置された多数の段ボール紙１１及び芯用ベニヤ合板１３を交互に積層接着してパネル状に形成すると共台が固定される箇所に補強材７１を設けて形成された芯材３の四周に枠材８を固着して構成する。
【００１１】
段ボール紙１１としては、ある程度の強度を有した厚手状のクラフト紙製のものが適しており、内部のコルゲート紙としてはＶ字形またはＵ字形で、一連または二連以上のものであってもよい。コルゲート紙が多数連で積層された段ボール紙１１を採用することにより天板体２を軽量化することができる。
【００１２】
また、段ボール紙１１の両面に積層接着される芯用ベニヤ合板１３としては、その特性から幅方向及び厚さ方向に対して高い強度を有した３プライまたは５プライ以上の奇数枚構成で、その厚さは使用する段ボール紙１１と卓球台天板１（天板体２）に要求される重量との相互関係により任意に決定される。
【００１３】
即ち、二連以上のコルゲート紙を芯材とした段ボール紙１１を使用する場合には芯材３における段ボール紙１１の比率が高くなって大きく軽量化することができる反面、厚さ方向及び幅方向に対する強度が不足することになる。この場合にあっては、厚手状で５プライ以上の芯用ベニヤ合板１３を使用することにより上記した強度を確保することができる。反対に、一連のコルゲート紙を使用した段ボール紙１１により芯材３を形成する場合にあっては、芯材３における段ボール紙１１の比率が少なくなって重量化するおそれがあるため、薄手状の３プライの芯用ベニヤ合板１３を使用することにより軽量化することができる。
【００１７】
上記した構成からなる芯材３の両面にベニヤ合板５・７を積層接着して卓球台天板１を形成する。ベニヤ合板５・７は卓球台天板１に要求される規定の反発係数と剛性とによって厚さが決定される。ベニヤ合板５・７を厚くした場合には、高剛性の卓球台天板１とすることができる反面、重量化することになるため、軽量化を図りながら規定の反発係数及び剛性を得るように調整すればよい。
【００１８】
上記の天板体２は芯材３を構成する段ボール紙１１により軽量化することができると共に芯用ベニヤ合板１３により厚さ方向及び幅方向に対して高い強度を有しているため、該芯材３を使用した天板体２、従って卓球台天板１自体を軽量化及び高強度化することができ、持ち運び時や使用時に、過度な重量が作用した場合であっても曲げを防止して平面性を保つと共に破断するのを防止することができる。
【００１９】
本発明は、以下のように変更実施することができる。
１．芯材３の両面にベニヤ合板５・７を積層接着して卓球台天板１の天板体２を形成したが、ベニヤ合板５・７を積層接着する際に芯材３を構成する段ボール紙１１におけるコルゲート紙の空隙内に、例えばウレタン発泡樹脂を充填し、該ウレタン発泡樹脂により芯材３を高強度化すると共にその接着力によりベニヤ合板５・７を接着するものとしてもよい。
【００２０】
２．上記説明の芯材３は、段ボール紙１１の両面に芯用ベニヤ合板１３を積層接着した多数の単位体１４を積層接着して形成するものとしたが、段ボール紙１１の両面に一枚の芯用ベニヤ合板１３が介在するように積層接着して芯材３１を形成してもよい。この構成にあっては、段ボール紙１１の両面に１枚の芯用ベニヤ合板１３が介在することにより、軽量化を達成できる。
【００００】
３．上記説明は、コルゲート紙の両側に表面紙を積層接着した普段ボール紙としたが、コルゲート紙を多数連とする場合にあっては複数枚の段ボール紙を積層接着する構成、又は複数枚のコルゲート紙のみを積層接着したものであってもよい。
【００２２】
４．本発明の芯材を構成する段ボール紙と芯用ベニヤ合板にあっては、ベニヤ合板を製造する際の仕上げ工程で排出される廃材としての単尺幅のベニヤ合板を、また段ボール箱を製造する際に排出される廃材としての段ボール紙を使用することにより材料コストを更に低減することができる。
【００２３】
５．芯材３の上面及び下面に積層接着される原板としては、上記したベニヤ合板５・７の他に反硬質繊維板（Medium-Density Fiberboard、通称MDF）を積層接着した構造であってもよい。また、厚手状のMDFを使用する場合には芯材３の表面に直接MDFを、また薄手状のMDFを使用する場合には薄手状のベニヤ合板を介して積層接着すればよい。MDF自体、表面の平滑度が高いため、仕上げ工程における研磨処理を省くことができ、製造コストを低減することができる。
【００２４】
６．実施形態に示す構造の天板体２にあっては、上記した１〜５の変更実施例を適宜組み合わせた構造であってもよい。
【００２５】
【発明の効果】
本発明は、軽量化及び高強度化を達成しながら製作費を低コスト化することができる。また、上記した課題を達成しながら製作費を低コスト化することができる。
【図面の簡単な説明】
【図１】卓球台用天板の一部破断斜視図である。
【図２】図１のＡ−Ａ線断面図である。
【図３】芯材の説明図である。
【符号の説明】
１−卓球台天板、３−芯材、５・７−ベニヤ合板、１１−段ボール紙、１３−芯用ベニヤ合板
【図１】
0003719598.tif 000002
【図２】
0003719598.tif 000003
【図３】
0003719598.tif 000004